【手続補正書】
【提出日】平成17年7月20日(2005.7.20)
【手続補正１】
【補正対象書類名】特許請求の範囲
【補正対象項目名】全文
【補正方法】変更
【補正の内容】
【特許請求の範囲】
【請求項１】
基地局と移動局とを備える無線通信システムにおいて最先信号到着を推定するための方法であって、前記移動局はサーチャ相関メカニズムと少なくとも１つのフィンガ相関メカニズムとを含む受信機を含んでおり、
前記移動局の受信機において、前記移動局によって受信された複数の信号の到着時間とエネルギーレベルを検出することであって、前記複数の受信信号は、前記基地局によって送信された複数のパイロット信号に対応していることと、
前記パイロット信号の各々に関連しているサーチャヒストグラムとフィンガヒストグラムとを、所定のエネルギー閾値レベルを満たす前記受信信号に対応するサンプルに基づいて構築することであって、前記サーチャヒストグラムとフィンガヒストグラムの各々は前記受信信号の到着時間分布を表していることと、
前記サーチャヒストグラムと前記フィンガヒストグラムの各々内に含まれているサンプルを処理して、複数の推定初期信号到着を生成することであって、前記推定初期信号到着の各々は前記パイロット信号のうちの１つに対応していることと、
前記推定初期信号到着のうちの最先のものに基づいて、基地局ごとに最先信号到着を決定することと、を備えている方法。
【請求項２】
さらに、所定の閾値より大きい多数のサンプルを含む前記サーチャヒストグラムの各々において第１のビンを識別することを含んでいる、請求項１に記載の方法。
【請求項３】
さらに、
前記サーチャヒストグラムの第１のビンの各々内に含まれる前記サンプル周辺にサーチャウィンドウを構築することと、
前記サーチャヒストグラムの第１のビンの各々内に含まれる前記サンプルに対応する前記フィンガヒストグラムの各々のサンプル周辺にフィンガウィンドウを構築することと、を含んでいる、請求項２に記載の方法。
【請求項４】
前記サーチャウィンドウと前記フィンガヒストグラムウィンドウはビンに集中しており、ＰＮチップの±端数のオフセットを有する、請求項３に記載の方法。
【請求項５】
前記サンプルを処理することは、前記サーチャウィンドウと前記フィンガウィンドウの各々内に含まれる前記サンプルを結合することを含んでいる、請求項４に記載の方法。
【請求項６】
前記サンプルを処理することがさらに、前記複数のパイロット信号のうちの１つに対応する推定初期信号到着の各々を生成するために、前記結合サンプルを平均化することを含んでいる、請求項５に記載の方法。
【請求項７】
さらに、前記推定初期信号到着の各々について遅延インデックスを生成することを含んでいる、請求項６に記載の方法。
【請求項８】
前記遅延インデックスの各々は、対応する比例標準偏差量を前記推定初期信号到着の各々から減算することによって生成される、請求項７に記載の方法。
【請求項９】
前記最先信号到着を基地局ごとに決定することは、最先信号到着に対応する前記遅延インデックスの最小値を決定することを含んでいる、請求項８に記載の方法。
【請求項１０】
前記移動局は前記遅延インデックスを、前記基地局または位置決定エンティティに転送して、最先信号到着に対応する前記最小遅延インデックスを選択する、請求項９に記載の方法。
【請求項１１】
無線通信システムにおいて最先信号到着を推定するためのシステムであって、
複数のパイロット信号を送信する基地局と、
前記パイロット信号に対応する複数の信号を受信するように構成された移動局であって、サーチャ相関メカニズムと少なくとも１つのフィンガ相関メカニズムとを含む受信機を含んでいる移動局と、を備えており、
前記移動局の受信機は前記受信信号の到着時間とエネルギーレベルを検出し、前記パイロット信号の各々に関連するサーチャヒストグラムとフィンガヒストグラムとを構築し、前記サーチャヒストグラムとフィンガヒストグラムの各々は、所定のエネルギー閾値レベルを満たす前記受信信号に対応するサンプルの到着時間分布を表しており、前記サーチャヒストグラムと前記フィンガヒストグラムの各々内に含まれる前記サンプルを処理して、複数の推定初期信号到着を生成し、
最先信号到着は、前記推定初期信号到着の最先のものに基づいて決定されるシステム。
【請求項１２】
前記移動局の受信機は、所定の閾値より大きい多数のサンプルを含む前記サーチャヒストグラムの各々における第１のビンを識別する、請求項１１に記載のシステム。
【請求項１３】
前記移動局の受信機は、前記サーチャヒストグラムの第１のビンの各々内に含まれる前記サンプル周辺にサーチャウィンドウを構築し、前記サーチャヒストグラムの第１のビンの各々内に含まれる前記サンプルに対応する前記フィンガヒストグラムの各々のサンプル周辺にフィンガウィンドウを構築する、請求項１２に記載のシステム。
【請求項１４】
前記サーチャウィンドウと前記フィンガヒストグラムウィンドウはビンに集中しており、ＰＮチップの±端数のオフセットを有する、請求項１３に記載のシステム。
【請求項１５】
前記移動局の受信機は、前記サーチャウィンドウと前記フィンガウィンドウの各々内に含まれるサンプルを結合することによって、前記サーチャヒストグラムと前記フインガヒストグラムの各々内に含まれる前記サンプルを処理する、請求項１４に記載のシステム。
【請求項１６】
前記基地局の受信機は、前記結合サンプルを平均化することによって前記サーチャヒストグラムと前記フインガヒストグラムの各々内に含まれる前記サンプルをさらに処理して、前記パイロット信号のうちの１つに対応する推定初期信号到着の前記各々を生成する、請求項１５に記載のシステム。
【請求項１７】
前記移動局の受信機は、前記推定初期信号到着の各々に対して遅延インデックスを生成する、請求項１６に記載のシステム。
【請求項１８】
前記遅延インデックスの各々は、対応する比例標準偏差量を前記推定初期信号到着の各々から減算することによって生成される、請求項１７に記載のシステム。
【請求項１９】
前記最先信号到着を決定することは、最先信号到着に対応する前記遅延インデックスの最小値を決定することを含んでいる、請求項１８に記載のシステム。
【請求項２０】
前記移動局は前記遅延インデックスを、前記基地局と位置決定エンティティとに転送して、最先信号到着に対応する前記最小遅延インデックスを選択する、請求項１９に記載の方法。
【請求項２１】
基地局と移動局とを備える無線通信システムにおいて最先信号到着を推定するための、複数のプロセッサによって実行可能な命令シーケンスによって符号化される機械読み取り可能な媒体であって、前記移動局はサーチャ相関メカニズムと少なくとも１つのフィンガ相関メカニズムとを含む受信機を含んでおり、前記命令シーケンスは、
前記移動局によって受信された複数の信号の到着時間とエネルギーレベルを検出することであって、前記複数の受信信号は前記基地局によって送信された複数のパイロット信号に対応していることと、
所定のエネルギー閾値レベルを満たす前記受信信号に対応するサンプルに基づいて、前記パイロット信号の各々と関連しているサーチャヒストグラムとフィンガヒストグラムとを構築することであって、前記サーチャヒストグラムと前記フィンガヒストグラムの各々は前記サンプルの到着時間分布を表すことと、
複数の推定初期信号到着を生成するために、前記サーチャヒストグラムと前記フィンガヒストグラムの各々内に含まれるサンプルを処理することであって、前記推定初期信号到着の各々は前記パイロット信号のうちの１つに対応することと、
最先信号到着を、前記推定初期信号到着の最先のものに基づいて決定することと、を備えている機械読み取り可能な媒体。
【請求項２２】
所定の閾値よりも大きい多数のサンプルを含む前記サーチャヒストグラムの各々における第１のビンを識別することをさらに含んでいる、請求項２１に記載の機械読み取り可能な媒体。
【請求項２３】
前記サーチャヒストグラムの第１のビンの各々内に含まれる前記サンプル周辺にサーチャウィンドウを構築することと、
前記サーチャヒストグラムの第１のビンの各々内に含まれる前記サンプルに対応する前記フィンガヒストグラムの各々のサンプル周辺にフィンガウィンドウを構築することと、をさらに含んでいる、請求項２２に記載の機械読み取り可能な媒体。
【請求項２４】
前記サーチャウィンドウと前記フィンガヒストグラムウィンドウはビンに集中しており、ＰＮチップの±端数のオフセットを有する、請求項２３に記載の機械読み取り可能な媒体。
【請求項２５】
前記サンプルを処理することは、
前記サーチャウィンドウと前記フィンガウィンドウの各々内に含まれるサンプルを結合することを含んでいる、請求項２４に記載の機械読み取り可能な媒体。
【請求項２６】
前記サンプルを処理することはさらに、
前記パイロット信号のうちの１つに対応する推定初期信号到着の前記各々を生成するために、前記結合サンプルを平均化することを含んでいる、請求項２５に記載の機械読み取り可能な媒体。
【請求項２７】
前記推定初期信号到着の各々に対して遅延インデックスを生成することをさらに含んでいる、請求項２６に記載の機械読み取り可能な媒体。
【請求項２８】
前記遅延インデックスの各々は、対応する比例標準偏差量を前記推定初期信号到着の各々から減算することによって生成される、請求項２７に記載の機械読み取り可能な媒体。
【請求項２９】
前記最先信号到着を決定することは、最先信号到着に対応する前記遅延インデックスの最小値を決定することを含んでいる、請求項２８に記載の機械読み取り可能な媒体。
【請求項３０】
前記移動局は、前記遅延インデックスを、前記基地局または位置決定エンティティに転送して、最先信号到着に対応する前記最小遅延インデックスを選択する、請求項２９に記載の機械読み取り可能な媒体。